(57)【要約】【課題】予備のＮＦ３を用いることによって、フッ素セルのオンサイトでの使用の困難性を克服して、安全で、連続的に、規制を遵守する方法でフッ素を与える。【解決手段】次の工程を有する反応チャンバーの洗浄方法：（ａ）目的の基材に材料を堆積させるための反応チャンバーを与える工程；（ｂ）上記反応チャンバーの内部で、上記目的の基材に上記材料を堆積させる工程；（ｃ）上記堆積を周期的に中断する工程；（ｄ）上記反応チャンバーの内部と、フッ素及び窒素の混合物とを接触させて、上記反応チャンバーの上記内部を洗浄する工程；及び（ｅ）上記フッ素及び窒素の混合物が使用できない場合に、切り替えを行って、上記反応チャンバーの内部と三フッ化窒素とを接触させる工程。【選択図】なし【特許請求の範囲】
【請求項１】
次の工程を含む反応チャンバーの洗浄方法：
（ａ）目的の基材に材料を堆積させるための反応チャンバーを与える工程；
（ｂ）前記反応チャンバーの内部で前記目的の基材に前記材料を堆積させる工程；
（ｃ）前記堆積を周期的に止める工程；
（ｄ）前記反応チャンバーの内部を、フッ素及び窒素の混合体と接触させて、前記反応チャンバーの内部を洗浄する工程；及び
（ｅ）前記フッ素及び窒素の混合体が使用できない場合、前記反応チャンバーの内部を三フッ化窒素と接触させることに切り替える工程。
【請求項２】
前記三フッ化窒素に、窒素の希釈剤が添加されている、請求項１に記載の方法。
【請求項３】
前記フッ素及び窒素の混合体、並びに前記三フッ化窒素に、アルゴンの希釈剤が添加されている、請求項１に記載の方法。
【請求項４】
前記フッ素及び窒素の混合体が、７５体積％のフッ素を有する、請求項１に記載の方法。
【請求項５】
前記三フッ化窒素が、１００％の三フッ化窒素である、請求項１に記載の方法。
【請求項６】
前記目的の基材を、前記反応チャンバーから取り出した後、前記フッ素及び窒素の混合体を接触させる、請求項１に記載の方法。
【請求項７】
前記目的の基材を、前記反応チャンバーから取り出した後、前記三フッ化窒素を接触させる、請求項１に記載の方法。
【請求項８】
反応チャンバー内部をフッ素で洗浄する方法において、その改良点が、フッ素及び窒素の混合体を用いること、及びその洗浄を三フッ化窒素の使用に切り替えることを含む方法。
【請求項９】
前記フッ素及び窒素の混合体が、７５体積％のフッ素を有する、請求項８に記載の方法。
【請求項１０】
前記三フッ化窒素が、１００％の三フッ化窒素である、請求項８に記載の方法。
【請求項１１】
前記所望のフッ素及び窒素の混合体が使用できないときに、前記切り替えを行う、請求項８に記載の方法。
【請求項１２】
前記堆積が、フラットパネルディスプレイの生産プロセスである、請求項１に記載の方法。
【請求項１３】
前記堆積が、光起電セルの生産プロセスである、請求項１に記載の方法。
【請求項１４】
次を具備する電子デバイス製造用装置：
（ａ）前記反応チャンバーの内部の目的物にケイ素含有材料を堆積させるための反応チャンバー；
（ｂ）前記反応チャンバーの内部と流通しているフッ素ガス源；
（ｃ）前記反応チャンバーの内部と流通している窒素源；
（ｄ）前記反応チャンバーの内部と流通している三フッ化窒素源；
（ｅ）前記フッ素源と流通しており、前記窒素源と流通しており、かつ前記反応チャンバーの内部と流通している、前記フッ素と窒素とを混合するための攪拌器；
（ｆ）前記フッ素源の状態を、異常事態に関して検知することができるセンサー；及び
（ｇ）前記フッ素源、前記窒素源、前記三フッ化窒素源及び前記反応チャンバー内部と流通しており、かつ前記センサーとの信号の連絡があり、前記センサーからの信号の受信に応じて、前記反応チャンバーの流通を、前記フッ素源及び前記窒素源から、前記三フッ化窒素源へと切り替えることができるスイッチ。
【発明の詳細な説明】
【技術分野】
【０００１】
半導体、フラットパネルディスプレイ及び光起電セルの製造業では、所望の膜を堆積させる反応チャンバー内で電子デバイスを製造する。これらの堆積物は、通常、非選択的な方法で堆積され、反応チャンバーの内壁に不測の堆積物をもたらす。
【０００２】
電子デバイス製造の一貫性を維持するために、この反応チャンバー内壁の意図しない堆積物を、定期的に除去する必要がある。歴史的に、反応チャンバーを周囲温度に冷却し、製造ラインから取り外し、そして酸性の洗浄剤及び塩基性の洗浄剤で処理していた。
【背景技術】
【０００３】
ガス状の三フッ化窒素（ＮＦ３）の採用によって、反応チャンバーを製造ラインから取り外すことなく、プロセス条件を洗浄することは、この産業の進展であった。これは、これらの反応チャンバーの生産性を大幅に向上させ、かつ洗浄操作を単純化した。
【０００４】
ＮＦ３は、反応チャンバーのその場（ｉｎ−ｓｉｔｕ）洗浄を行う実際の物質種であるフッ素原子の、ただ単に便利でかつ比較的安全な原料である。その腐食性、毒性及び酸化特性によって輸送できる量が厳しく制限されている元素フッ素とは異なり、ＮＦ３は、公共の規制された輸送手段で輸送することが出来る。
【０００５】
ＮＦ３は、単に、安全で大量の輸送を与えるために用いられ、そしてＮＦ３は、反応チャンバーの洗浄プロセスの間に、反応チャンバーでフッ素原子及び窒素原子に分解される。これは通常は、洗浄する反応チャンバーの上流にあるリモートプラズマチャンバーによって行われる。ＮＦ３を窒素原子及びフッ素原子に分解し、これらのフッ素原子が、反応チャンバー内壁の意図しない堆積物と反応して、その堆積物を除去する。シリコンに基づく堆積物に関して、これは、ＳｉＦ４のガス状の副生成物をもたらし、これを反応チャンバーから除去し、下流の除去装置で廃棄物として処理する。
【０００６】
ＮＦ３の欠点は、そのコスト及び定期的供給の制限である。電子デバイス製造業への原料及び消耗化学物質の供給業者は、消費の現場（オンサイト（ｏｎ−ｓｉｔｅ））でフッ素を生成させて、フッ素の大量の輸送を避け、かつフッ素の大量の貯蔵を避けることによって、ＮＦ３の高いコスト並びにフッ素の輸送及び使用についての規制上の制限を避ける道を模索してきた。
【０００７】
フッ素の生成は、通常、フッ化水素（ＨＦ）の電気分解によって、２原子のフッ素又はＦ２を形成することによって行われる。ＨＦがＦ２に転換される電解セルは、周知であり、長年用いられてきた。この実績にもかかわらず、オンサイトフッ素電解セルを含むあらゆる製造装置は、定期的なメンテナンス又は不定期の停止にさらされる。それゆえ、多くの反応チャンバーの定期的な洗浄を必要とする電子デバイス製造業者は、洗浄ガスが短時間ですらも入手できない場合の、費用のかかる反応チャンバーの停止を避けるために、安定で一貫性のあるフッ素の供給を必要としている。
【０００８】
それゆえ、電子デバイス製造業者は、オンサイトフッ素セルがなんらかの理由で停止する場合に予備の洗浄ガスが入手可能でない限り、容易に輸送され、かつ大量に貯蔵できるＮＦ３からＦ２に変更しようとしなかった。不測の事態のための予備を有する様々なオンサイトフッ素セル装置が、この産業で考慮されてきた。これには、定常状態の容量に必要とされるフッ素セルより多くのフッ素セル、オンサイトのフッ素貯蔵量、フッ素又はフッ素生成分子の代替原料及びＮＦ３自体が挙げられる。
【０００９】
フッ素若しくはＮＦ３、又はこの両方を用いて定期的に洗浄することが出来る、この種類の反応チャンバーとしては、以下を用いる反応のチャンバーが挙げられる：化学気相成長（ＣＶＤ）、プラズマ強化化学気相成長（ＰＥＣＶＤ）、低圧化学気相成長（ＬＰＣＶＤ）、連続化学気相成長（ＣＣＶＤ）、原子層堆積（ＡＬＤ）及びこれらの反応様式の組合せ及び派生を様々に具現化したもの。これらの反応チャンバーを、フッ素プラズマを用いて洗浄することが出来る。無反応性の圧縮ガスであるＮＦ３は、フッ素の便利な原料であるが、Ｆ２系プロセスは、比較的低いコストを与えると示されている。原子Ｆ２は、腐食性があり、毒性があり、かつ強力な酸化剤である。結果として、Ｆ２の取扱い性には問題があり、規制が、輸送できるＦ２の量を制限している。無水ＨＦの電気分解によるＦ２のオンサイト生成は、これらの困難の多くを克服する。しかし、Ｆ２の製造は、複雑な化学プラントを必要とし、このプラントがメンテナンスを受けるときのために予備を必要とする。ガス状のＦ２の貯蔵は、限定的な予備を与えることが出来るが、これは中断時間が延長した場合に十分ではない。
【００１０】
本発明の分野の先行文献としては、特許文献１が挙げられる。
【先行技術文献】
【特許文献】
【００１１】
【特許文献１】ＵＳ２００５／０１６１３２１
【発明の概要】
【発明が解決しようとする課題】
【００１２】
以下に詳細に記載するように、本発明は、予備のＮＦ３を用いることによって、フッ素セルのオンサイトでの使用の困難性を克服して、安全で、連続的に、規制を遵守する方法でフッ素を与える。一方で、これは、フッ素とＮＦ３との電子デバイス製造業者の切替えを促進し、これを複雑にではなく、かつプロセスを変更せずに戻し、そうして信頼性が高く一貫性のある生産及び反応チャンバーの洗浄を維持する。
【課題を解決するための手段】
【００１３】
本発明は、次の工程を有する反応チャンバーの洗浄方法である：
（ａ）目的の基材に材料を堆積させるための反応チャンバーを与える工程；
（ｂ）上記反応チャンバーの内部で、上記目的の基材に上記材料を堆積させる工程；
（ｃ）上記堆積を周期的に中断する工程；
（ｄ）上記反応チャンバーの内部と、フッ素及び窒素の混合物とを接触させて、上記反応チャンバーの上記内部を洗浄する工程；及び
（ｅ）上記フッ素及び窒素の混合物が使用できない場合に、切り替えを行って、上記反応チャンバーの内部と三フッ化窒素とを接触させる工程。
【００１４】
あるいは、本発明は、反応チャンバーの内部をフッ素を用いて洗浄する方法であり、その改良点は、フッ素及び窒素の混合物を用いること、及び三フッ化窒素を用いる洗浄に切り替えることを含む。
【００１５】
好ましくは、アルゴンの希釈剤を、フッ素及び窒素の混合物、並びに三フッ化窒素と共に用いる。好ましくは、窒素の希釈剤を、三フッ化窒素と共に用いる。
【００１６】
本発明は、次を具備する、電子デバイス製造用の装置でもある：
（ａ）反応チャンバー内部の目的物にシリコン含有材料を堆積させるための反応チャンバー；
（ｂ）上記反応チャンバー内部と流通しているフッ素ガス源；
（ｃ）上記反応チャンバー内部と流通している窒素源；
（ｄ）上記反応チャンバー内部と流通している三フッ化窒素源；
（ｅ）上記フッ素源と流通しており、上記窒素源と流通しており、かつ上記反応チャンバー内部と流通している、上記フッ素と窒素とを混合する攪拌器；
（ｆ）上記フッ素源の状態を、異常状態に関して検知できるセンサー；
（ｇ）上記フッ素源、上記窒素源、上記三フッ化窒素源、及び上記反応チャンバー内部と流通しており、かつ上記センサーと信号の連絡があり、上記センサーからの信号の受信に応じて、上記反応チャンバーの流通を、上記フッ素源及び上記窒素源から、三フッ化窒素源へと切り替えることが出来るスイッチ。
【図面の簡単な説明】
【００１７】
【図１】フーリエ変換赤外分光法（ＦＴＩＲ）で測定した、表１のフッ素／窒素／アルゴン（Ｆ２−１）を用いるＴＥＯＳ系ＳｉＯ２堆積チャンバーの洗浄サイクル中のＳｉＦ４濃度を、三フッ化窒素／窒素／アルゴン（ＮＦ３−１）を用いる同じ洗浄サイクルのＳｉＦ４濃度と比較したグラフである。これは、予想される副生成物ＳｉＦ４が等しいことを示している。
【図２】フーリエ変換赤外分光法（ＦＴＩＲ）で測定した、表１のフッ素／窒素／アルゴン（Ｆ２−２）を用いるＴＥＯＳ系ＳｉＯ２堆積チャンバーの洗浄サイクル中のＳｉＦ４濃度を、三フッ化窒素／窒素／アルゴン（ＮＦ３−２）を用いる同じ洗浄サイクルのＳｉＦ４濃度と比較したグラフである。これは、予想される副生成物ＳｉＦ４が等しいことを示している。
【発明を実施するための形態】
【００１８】
この開示は、フッ素源としてＮＦ３かＦ２かのいずれかを用いても同じとなる反応チャンバーの洗浄方法、すなわちＮＦ３とＦ２とを切り替えることが、反応チャンバーにとって、例えばＰＥＣＶＤツールにとって、透過的である（ｔｒａｎｓｐａｒｅｎｔ）反応チャンバーの洗浄方法を特定する。大きな反応チャンバーを用いる使用者にとって、例えば非常に大きな反応チャンバーを用いてテレビスクリーンを製造する薄膜トランジスターフラットパネルディスプレイ製造業者にとって、また非常に大きな反応チャンバーを必要とするソーラーパネルを製造する光起電セル製造業者にとって、本発明は特に有用である。これら両方の産業で、比較的従来のものであるＮＦ３か、比較的近年のものであるオンサイトで生成するフッ素かのいずれかの、比較的多量の洗浄ガスを用いる。それぞれの例で、大量の洗浄ガスの使用によって、これらの製造業者は、より低コストの洗浄ガスに興味を持つことになる。オンサイトの電解フッ素セル生成は、大量に使用する場合には、従来のＮＦ３の使用よりも安価になる。しかし、フッ素のオンサイトの電解フッ素セル生成は、高価でかつ複雑な電子デバイス反応チャンバーを停止させないように、洗浄ガスの連続供給を確保するための予備を必要とする。
【００１９】
ＮＦ３は、プラズマ源によってＦ原子及びＮ原子に完全に分解させることが出来るため、オンサイトＦ２生成器のための理想的な予備である。原子のフッ素からＮＦ３に切り替えて「透過的な状態」にさせること、並びに使用者、反応チャンバー及び電子デバイス製品の生産にとってプロセス的に等価にすることの本発明者らの重要な構想は、通常の洗浄サイクルの間に、Ｎ２をＦ２ガスに添加することによって、プラズマ源の下流のガス組成を、Ｆ２かＮＦ３かのいずれかを用いても同一とすることである。それゆえ、Ｆ原子及びＮ原子の等価な流量を与える流量及び組成を選択することによって、Ｆ２とＮＦ３とを切り替えることが出来る。洗浄ガスの流量は、通常は質量流量制御器（ＭＦＣ：ｍａｓｓ  ｆｌｏｗ  ｃｏｎｔｒｏｌｌｅｒ）を用いて制御される。ＭＦＣの感度は、各洗浄ガスで異なる。例えば、１．０ｓｌｍのＦ２／Ｎ２を供給するように設計されたＭＦＣは、同一の条件の下で、０．５ｓｌｍのみのＮＦ３を供給するであろう。洗浄ガスの熱容量に関連するガス補正因子を用いて、ＭＦＣのこれらの異なる感度を明らかにする。洗浄ガスの分子組成は、洗浄ガスの各分子のフッ素原子が、どれくらい反応チャンバーに供給されるかを決定する。各Ｆ２分子は、２つのフッ素原子を与える。各ＮＦ３分子は３つのフッ素原子を与える。選択したガス組成は、ＮＦ３（０．５）及びＦ２／Ｎ２（１．０）の異なるＭＦＣガス補正因子及びＦ２、Ｎ２及びＮＦ３の化学両論を考慮する必要がある。好ましい組成は、Ｆ２（７５％）／Ｎ２及びＮＦ３（１００％）である。
【００２０】
低い流量では、Ｆ原子の流量が同じであれば洗浄回数は同じである。すなわち、残留物を除去するのに必要な時間は、同じ量のＦ原子を反応チャンバーに供給する限り、洗浄ガスがＦ２／Ｎ２かＮＦ３かどうかに関わらず同じである。しかし、高い流量では、Ｎ２がプラズマ出力を浪費する溜めとなり、過剰な高周波（ＲＦ：ｒａｄｉｏ  ｆｒｅｑｕｅｎｃｙ）出力が存在しない場合があるので、洗浄ガスが、Ｆ原子とＮ原子とに完全に分解しない場合がある。
【００２１】
以下は、比較の方法を用いるＰＥＣＶＤ反応チャンバーからの残渣の除去に関する実験結果である。以下の実験のすべてにおいて、シリコンウェハーに二酸化ケイ素膜を堆積させることによって生成した残渣で、ＣＶＤチャンバーの表面をコーティングした。テトラエトキシシリケート（ＴＥＯＳ）を用いて、以下の条件で、ＰＥＣＶＤプロセスチャンバーにおいて、膜を堆積させた：ＴＥＯＳ（１０００ミリグラム毎分（ｍｇｍ））、Ｏ２（１０００標準立法センチメートル毎分（ｓｃｃｍ））、Ｈｅ（１０００ｓｃｃｍ）、８．２ｔｏｒｒ、４００℃、２８０ミル、９１０ワット（Ｗ）。各膜の膜厚を測定したところ、約１７４〜２０７ナノメートル（ｎｍ）であることが分かった。この膜の屈折率を測定したところ、約１．４５４〜１．４７１であることが分かった。膜厚及び屈折率は、反射光測定（ｒｅｆｌｅｃｔｏｍｅｔｒｙ）技術によって測定した。
【００２２】
これらの例を、リモートプラズマ源（ＭＫＳ  Ａｓｔｒｏｎ−Ｅｘ、ＭＫＳ  Ｉｎｓｔｒｕｍｅｎｔｓ、ウィルミントン、マサチューセッツ州、米国）を有するＰＥＣＶＤ反応器又はＰＥＣＶＤプロセスチャンバー（Ａｐｐｌｉｅｄ  Ｍａｔｅｒｉａｌｓ、Ｐ−５０００  ＤｘＺ）を用いて処理した。このプロセスチャンバーは、基礎台又は底部電極、高周波（ＲＦ）出力源に接続している上部電極、プロセスガス流のためのガス入口及び真空ポンプに接続している出口を有していた。チャンバーの壁を接地し、そして７５℃の温度で維持し、そしてチャンバー内部部品、例えばサセプターを、４００℃の温度で維持した。ＴＥＯＳ膜を堆積させた後で、２００ｍｍのシリコンウェハーを、ＰＥＣＶＤチャンバーから取り出し、そしてチャンバーの残渣を洗浄した。
【００２３】
リモートプラズマ洗浄実験を、Ａｓｔｒｏｎ−Ｅｘリモートプラズマ源（ＭＫＳ  Ｃｏｒｐｏｒａｔｉｏｎ）を取り付けたＰＥＣＶＤ（Ａｐｐｌｉｅｄ  Ｍａｔｅｒｉａｌｓ、Ｐ−５０００  ＤｘＺ）を用いて実行した。二酸化ケイ素膜を堆積させた後、シリコンウェハーをＰＥＣＶＤチャンバーから取り出し、そしてチャンバーの残渣を洗浄した。このプロセスを繰り返した。反応器を減圧にした後、プロセスガスをＡｓｔｒｏｎ−Ｅｘリモートプラズマ発生器に導入する。そして、チャンバーの圧力を安定化させ、ＲＦ出力を適用することによって、このリモートプラズマ源のスイッチを入れた。この強力なプラズマがプロセスガスの分子を壊し、接続している金属チューブを通って、そしてシャワーヘッド部を通ってチャンバーへと下流に流れ、そしてチャンバー表面の残渣と反応すると考えられる。反応物質種と残渣との反応によって形成されるこの揮発性の化合物は、減圧ポートを通って反応器から除去される。表１に与えた様々なプロセスレシピ及びパラメーターを用いて、各堆積の後で、プロセスチャンバーを約２００〜２６０秒間洗浄した。
【００２４】
【表１】
2012175108.tif 000002
【００２５】
この例のチャンバー洗浄プロセスを、フーリエ変換赤外分光法（ＦＴＩＲ）によってポンプ排出部で監視した。このプロセス解析を用いて、チャンバー洗浄の副生成物を同定し、プロセス放出物を測定し、洗浄回数を決めた。プロセスポンプの下流で、ＨｇＣｄＴｅ検出器及び加熱した０．０１ｍのガスセルを用いる抽出ＦＴＩＲ分光法（ＭＫＳ  Ｍｕｌｔｉｇａｓ、Ｍｏｄｅｌ  ２０１０）によって、放出物の測定を行った。このプロセスを、プロセスポンプの排出部で１／４インチの管継手（ｃｏｍｐｒｅｓｓｉｏｎ  ｆｉｔｔｉｎｇ）からサンプリングした。興味のあるガスは、結果的にＮ２ポンプのパージ（５０〜７０ｓｌｍ）によって希釈される。プロセス排出物を、金属のダイアフラムポンプを用いてポンプ排出部から抜き出した。サンプリングラインは、約１００℃にヒートトレースされた１／８インチのステンレス鋼管であった。サンプルガスを、ＦＴＩＲセルにポンプで入れた後、換気排出口に戻した。このガスセルの温度及び圧力を、１５０℃及び１．０気圧にそれぞれ制御した。報告した濃度を、測定の間に温度及び圧力に関して補正した。吸光度スペクトルを、８〜６４回のスキャンにわたって平均化した０．５ｃｍ−１分解能で収集した。
【実施例】
【００２６】
例１：ＮＦ３系プロセスとＦ２系プロセスの同等性の検証
洗浄ガスＮＦ３−１の原子組成は、洗浄ガスＦ２−１の原子組成と同じである（表１）。同様に、洗浄剤ＮＦ３−２とＦ２−２が同じである。プラズマ源が完全にプロセスガスを解離する場合（ＮＦ３、Ｆ２及びＮ２）、これらのプロセスの原子組成は区別がつかない。二酸化シリコン残渣の主要なエッチング剤は、フッ素原子と考えられているので、洗浄プロセスＮＦ３−１及びＮＦ３−２は、洗浄プロセスＦ２−１及びＦ２−２とそれぞれ同一であると予想される。洗浄プロセスＮＦ３−１及びＦ２−１に関して、ＦＴＩＲで測定されたＳｉＦ４洗浄副生成物の濃度プロファイルを図１に示す。洗浄プロセスＮＦ３−２及びＦ２−２に関して、ＦＴＩＲで測定されたＳｉＦ４の濃度プロファイルを図２に示す。
【００２７】
両方の例において、洗浄を時間０．００で開始する。二酸化ケイ素の残渣を、ＳｉＦ４として揮発させるにしたがって、その濃度が高まる。全ての二酸化ケイ素残渣がチャンバーから除去されたら、ＳｉＦ４濃度が基準線レベルに戻る。洗浄ＮＦ３−１及びＦ２−１に関するＳｉＦ４洗浄副生成物のプロファイル（図１）は区別できず、洗浄回数及びＳｉＦ４放出量（表２）が同じであることを示す。これらの洗浄プロセスは、同一の原子組成（フッ素原子流量４１７ｓｃｃｍ、窒素原子流量１６６７ｓｃｃｍ）を有する。同様に、洗浄ＮＦ３−２及びＦ２−２に関するＳｉＦ４プロファイル（図２）は区別できず、洗浄回数及びＳｉＦ４放出量（表２）が同じであることを示す。これらの洗浄プロセスは、同一の原子組成（フッ素原子流量８４２ｓｃｃｍ、窒素原子流量３３６７ｓｃｃｍ）を有する。
【００２８】
【表２】
2012175108.tif 000003
【００２９】
ＳｉＦ４のプロファイル（図１及び２）を積分することは、ＳｉＦ４放出体積量を計算することを可能にする。ＳｉＦ４放出量は、洗浄の効果の基準となる。残渣をＳｉＦ４として揮発するので、同一のＳｉＦ４放出量は、同等の量の二酸化ケイ素残渣がチャンバーから除去されたということを裏付ける。全ての洗浄プロセスに関するＳｉＦ４放出量を、表２に要約する。同じフッ素原子処理量に関して、ＮＦ３洗浄（ＮＦ３−１及びＮＦ３−２）は、Ｆ２洗浄（Ｆ２−１及びＦ２−２）と同じ量の残渣を除去する。
【００３０】
例２：洗浄ガスの透過的な供給
この開示は、フッ素源としてＮＦ３かＦ２かのいずれかを用いても同じとなるチャンバーの洗浄方法、すなわち、ＮＦ３とＦ２とを切り替えることが、ＰＥＣＶＤツールにとって透過的であるチャンバーの洗浄方法を特定する。ＮＦ３は、プラズマ源によってフッ素原子及び窒素原子に完全に解離することが出来るため、オンサイトＦ２生成器のための理想的な予備である。Ｎ２をＦ２ガスに添加することによって、プラズマ源の下流のガス組成が、Ｆ２かＮＦ３かのいずれかを用いても同一となる。それゆえ、Ｆ原子及びＮ原子の等価な流量を与える流量及び組成を選択することによって、Ｆ２とＮＦ３とを切り替えることが出来る。この組成は、ＮＦ３（０．５）及びＦ２／Ｎ２（１．０）の異なるＭＦＣガス補正因子及び洗浄ガスＦ２及びＮＦ３の化学両論を考慮する必要がある。好ましい組成は、Ｆ２（７５％）／Ｎ２及びＮＦ３（１００％）である。
【図１】
2012175108.tif 000004
【図２】
2012175108.tif 000005
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
次の工程を含む反応チャンバーの洗浄方法：
（ａ）目的の基材に材料を堆積させるための反応チャンバーを与える工程；
（ｂ）前記反応チャンバーの内部で前記目的の基材に前記材料を堆積させる工程；
（ｃ）前記堆積を周期的に止める工程；
（ｄ）前記反応チャンバーの内部を、フッ素及び窒素の混合体と接触させて、前記反応チャンバーの内部を洗浄する工程；及び
（ｅ）前記フッ素及び窒素の混合体が使用できない場合、前記反応チャンバーの内部を三フッ化窒素と接触させることに切り替える工程。
【請求項２】
反応チャンバー内部をフッ素で洗浄する方法において、その改良点が、フッ素及び窒素の混合体を用いること、及びその洗浄を三フッ化窒素の使用に切り替えることを含む方法。
【請求項３】
前記三フッ化窒素に、窒素の希釈剤が添加されている、請求項１又は２に記載の方法。
【請求項４】
前記フッ素及び窒素の混合体、並びに前記三フッ化窒素に、アルゴンの希釈剤が添加されている、請求項１〜３のいずれか一項に記載の方法。
【請求項５】
前記フッ素及び窒素の混合体が、７５体積％のフッ素を有する、請求項１〜４のいずれか一項に記載の方法。
【請求項６】
前記三フッ化窒素が、１００％の三フッ化窒素である、請求項１〜５のいずれか一項に記載の方法。
【請求項７】
前記目的の基材を、前記反応チャンバーから取り出した後、前記フッ素及び窒素の混合体を接触させる、請求項１に記載の方法。
【請求項８】
前記目的の基材を、前記反応チャンバーから取り出した後、前記三フッ化窒素を接触させる、請求項１に記載の方法。
【請求項９】
前記所望のフッ素及び窒素の混合体が使用できないときに、前記切り替えを行う、請求項２に記載の方法。
【請求項１０】
前記堆積が、フラットパネルディスプレイの生産プロセスである、請求項１〜９のいずれか一項に記載の方法。
【請求項１１】
前記堆積が、光起電セルの生産プロセスである、請求項１〜１０のいずれか一項に記載の方法。
【請求項１２】
次を具備する電子デバイス製造用装置：
（ａ）前記反応チャンバーの内部の目的物にケイ素含有材料を堆積させるための反応チャンバー；
（ｂ）前記反応チャンバーの内部と流通しているフッ素ガス源；
（ｃ）前記反応チャンバーの内部と流通している窒素源；
（ｄ）前記反応チャンバーの内部と流通している三フッ化窒素源；
（ｅ）前記フッ素源と流通しており、前記窒素源と流通しており、かつ前記反応チャンバーの内部と流通している、前記フッ素と窒素とを混合するための攪拌器；
（ｆ）前記フッ素源の状態を、異常事態に関して検知することができるセンサー；及び
（ｇ）前記フッ素源、前記窒素源、前記三フッ化窒素源及び前記反応チャンバー内部と流通しており、かつ前記センサーとの信号の連絡があり、前記センサーからの信号の受信に応じて、前記反応チャンバーの流通を、前記フッ素源及び前記窒素源から、前記三フッ化窒素源へと切り替えることができるスイッチ。
【外国語明細書】
2012175108000001.pdf